(57)【要約】【課題】種々の形状を有する携帯端末用カバーを提供する。【解決手段】携帯端末用カバー１０は、携帯端末１２が固定される被固定具１４と、前記固定具１４に取り付けられる被取付部材２４と、を有し、前記被固定具１４は側面１８及び/又は該側面に接続された背面を有し、前記被固定具１４の側面１８又は背面と前記携帯端末１２との間に前記被取付部材２４の一部が挟まれて前記被取付部材２４が前記被固定具１４及び前記携帯端末１２に固定される。【選択図】図３
2019041387.tif 000002
【特許請求の範囲】
【請求項１】
携帯端末が固定される被固定具と、
前記被固定具に取り付けられる被取付部材と、
を有し、
前記被固定具は側面及び/又は該側面に接続された背面を有し、前記被固定具の側面又は背面と前記携帯端末との間に前記被取付部材の一部が挟まれて前記被取付部材が前記被固定具及び前記携帯端末に固定される携帯端末用カバー。
【請求項２】
前記被取付部材は、前記被取付部材の少なくとも一部が前記携帯端末に接し、前記被取付部材を前記携帯端末に対する滑りを止める滑り留め部を有する請求項１記載の携帯端末用カバー。
【請求項３】
前記被取付部材は、前記携帯端末のガラス面を覆う蓋体である請求項１又は２記載の携帯端用カバー。
【請求項４】
前記被取付部材は、前記携帯端末及び前記被固定具を支持する支持体である請求項１又は２記載の携帯端末用カバー。
【請求項５】
前記被取付部材は、物が保持される被保持体である請求項１又は２記載の携帯端末用カバー。
【請求項６】
前記被取付部材は、固定対象に支持される請求項４記載の携帯端末用カバー。
【請求項７】
前記被固定具は、前記固定対象の周囲を囲むようにして固定対象に支持される請求項４記載の携帯端末用カバー。
【請求項８】
カバー本体部と、
携帯端末が固定される被固定具と、
前記固定具に取り付けられる被取付部材と、
前記カバー本体部、前記被取付部材、前記携帯端末又は前記被固定具に設置された保持具と、
を有し、
前記被固定具は側面及び/又は該側面に接続された背面を有し、前記被固定具の側面又は背面と前記携帯端末又は前記カバー本体との間、又は前記携帯端末と前記カバー本体との間に少なくとも前記保持具の一部が配置されて前記カバー本体部及び被取付部材が前記被固定具及び前記携帯端末に固定される携帯端末用カバー。
【請求項９】
前記カバー本体部は、複数に着脱自在であるように分かれている請求項８記載の携帯端末用カバー。
【請求項１０】
前記カバー本体部、前記被固定具、前記被取付部材又は前記保持具の少なくとも１つには支持部取付部が設けられ、該支持部取付部に、他の部材に支持されるための支持部が取り付けられている請求項８又は９記載の携帯端末用カバー。
【発明の詳細な説明】
【技術分野】
【０００１】
本発明は、携帯端末用カバーに関する。
【背景技術】
【０００２】
携帯端末には、携帯端末用カバーが多く使われ、主なものは、ソフトケースやハードケース等のケース型と手帳型等である。手帳型には、例えば、下記特許文献１等がある。
【先行技術文献】
【特許文献】
【０００３】
【特許文献１】実用新案登録第３１９７７０９号公報
【特許文献２】実用新案登録第３１７７６４７号公報
【発明の概要】
【発明が解決しようとする課題】
【０００４】
上記種々の携帯端末用カバーは同じ形状の携帯端末にしか使用出来ないことが多いという問題があった。
【課題を解決するための手段】
【０００５】
以上のような課題を解決するための手段として本発明は、携帯端末が固定される被固定具と、前記被固定具に取り付けられる被取付部材と、を有し、前記被固定具は側面及び/又は該側面に接続された背面を有し、前記被固定具の側面及び/又は背面と前記携帯端末との間に前記被取付部材の一部が挟まれて前記被取付部材が前記被固定具及び前記携帯端末に固定されるようにした。
【発明の効果】
【０００６】
本発明によれば、被取付部材を被固定具と携帯端末との間で挟んで固定されるようにしたので、被取付部材には様々なものを使用することができる。
【図面の簡単な説明】
【０００７】
【図１】本発明の第１実施形態に係る携帯端末用カバーに用いた被取付部材を示す斜    視図である。
【図２】本発明の第１実施形態に係る携帯端末用カバーを示す斜視図である。
【図３】本発明の第１実施形態に係る携帯端末用カバーを携帯端末に装着した状態を    示す斜視図である。
【図４】本発明の第１実施形態に係る携帯端末用カバーを携帯端末に装着して閉じた    状態を示し、（ａ）は表側を、（ｂ）は裏側をそれぞれ示す斜視図である。
【図５】本発明の第２実施形態に係る携帯端末用カバーを示す斜視図である。
【図６】本発明の第３実施形態に係る携帯端末用カバーを示す斜視図である。
【図７】本発明の第４実施形態に係る携帯端末用カバーに用いた被取付部材を示す斜    視図である。
【図８】本発明の第４実施形態に係る携帯端末用カバーをサンバイザーに取り付けた    状態を示す斜視図である。
【図９】本発明の第５実施形態に係る携帯端末用カバーを支持部材に取り付けた状態    を示す斜視図である。
【図１０】本発明の第６実施形態に係る携帯端末用カバーを示す斜視図である。
【図１１】本発明の第７実施形態に係る携帯端末用カバーを示す斜視図である。
【図１２】本発明の第８実施形態に係る携帯端末用カバーに携帯端末を装着した状態を示す斜視図である。
【図１３】本発明の第８実施形態に係る携帯端末用カバーに携帯端末を装着したものを自動車のフロントガラスに取り付けた状態を示す断面図である。
【図１４】本発明の第８実施形態に係る携帯端末用カバーの変形例を示す斜視図である。
【図１５】本発明の第９実施形態に係る携帯端末用カバーに携帯端末を装着したものを自動車のサンバイザーに取り付けた状態を示す断面図である。
【図１６】本発明の第１０実施形態に係る携帯端末用カバーを示す背面図である。
【図１７】本発明の第１１実施形態に用いた取付基台を示す斜視図である。
【図１８】本発明の第１１実施形態において、携帯端末用カバーに携帯端末を装着したものを取付基台に取り付けた状態を示す側面図である。
【発明を実施するための形態】
【０００８】
図１から図４は、本発明の第１実施形態を示す。
携帯端末用カバー１０は、携帯端末１２が固定される被固定具１４を有する。この被固定具１４は、例えば柔軟性のあるプラスチックやハードケースやシリコン等、アルミの携帯端末用バンパーや器具等であり、携帯端末のみならず、少なくとも一部を抱えて携帯端末を固定するもの、携帯端末の固定具等で、一般的に市販されているもの等も含む。 この実施形態においては、被固定具１４は、プラスチック等のケースで、背面１６の周囲４辺に背面１６から表面側に立ち上がる４つの側面１８を有する。側面１８は、携帯端末１２の周囲形状や、携帯端末の操作装置の形状等に合わせて形成され、図３に示すように、携帯端末１２の周囲が嵌るように、携帯端末１２に固定される。この被固定具１４の背面１６には、携帯端末１２のカメラ２０に対応してカメラホール２２が設けられている。
【０００９】
また、携帯端末用カバー１０は、被取付部材２４を有する。この実施形態においては、被取付部材２４は、被固定具１４の周囲に対応した形状を有し、携帯端末１２のガラス面を覆う蓋体として構成されている。この被取付部材２４は、例えばゴム、シリコン、布、ひも、テープ、皮革、合成皮革、合成樹脂、ガラス、金属等のいずれかひとつ、あるいは、それらの組み合わせ等である。この被取付部材２４には、舌片状に形成された挿入部２６が１つの側方から延びている。この挿入部２６は、携帯端末１２が被固定具１４に装着した場合、携帯端末１２と被固定具１４との間に挟まることが可能な程度に薄く形成されている。挿入部２６の素材は、被取付部材２４と同じであってもよいし、異なっていてもよい。この被取付部材２４は、図２に示すように、被固定具１４の背面１６と側面１８との間に挿入部２６が配置され、図３に示すように、配置された挿入部２６が携帯端末１２と被固定具１４との間に挟まれることによって、携帯端末１２及び被固定具１４に取り付けられる。このように被取付部材２４は、被固定具１４に対して着脱自在であるから、例えば、季節やファッションに合わせ着せ替え、汚れたりあきたら簡単に交換可能である。また、被取付部材２４や挿入部２６は、被固定具１４の裏面にかからないので（図４（ｂ）参照）、被固定具１４の裏面の絵柄やデザイン等を損なわない。これらは、後述する他の実施例においても同様である。以後、共通する部分については、図面に同一番号を付して省略する。
【００１０】
図５は、本発明の第２実施形態を示す。
【００１１】
この第２実施形態においては、第１実施形態と比較して、カバー本体部２８を有する点が異なる。カバー本体部２８は、被固定具１４の背面側に配置されている。このカバー本体部２８は、前述した被取付部材２４と同様に、例えば、ゴム、シリコン、布、皮革、合成皮革、合成樹脂、ガラス、金属等のいずれかひとつ、あるいは、それらの組み合わせ等である。このカバー本体部２８の素材は、被取付部材２４と同じであってもよいし、異なっていてもよい。また、例えば、携帯端末を装着したカバー本体部２８部分だけで使用し、持ち運び時等に被取付部材２４を付けてもよい。他にも、被取付部材２４と挿入部２６でなく、図１１に示す第７実施形態の第２のカバー本体部２８ｂ等をカバー本体部２８等に付けてもよい。
【００１２】
また、カバー本体部２８には、例えば、保持具３０の２つのバンド部が設けられている。
保持具３０であるバンド部は、例えば、ゴム、シリコン、布、ひも、テープ、皮革、合成皮革、合成樹脂、金属等のいずれかひとつ、あるいは、それらの組み合わせ等からなる。この第２実施形態においては、保持具３０のバンド部は輪状に形成され、カバー本体部２８に形成された孔に通してある。ただし、例えば、縫合、接着、粘着、溶接、接合、係合、結合、留め具等のいずれかひとつ、あるいは、それらの組み合わせ等により保持具３０のバンド部をカバー本体部２８に固定してもよい。
なお、この第２実施形態においては、保持具３０は、カバー本体部２８に固定されているが、被取付部材２４等に固定するようにしてもよい。
【００１３】
被固定具１４は、バンド部の内側に通らせる。また、前述した被取付部材２４の挿入部２６を被固定具１４の背面部１６と側面部１８との間に配置する（図５に示す状態）。そして、その上から携帯端末を被固定具１４に装着する。携帯端末を被固定具１４に装着すると、被取付部材２４が携帯端末と被固定具１４との間に挟まれて固定されると共に、保持具３０のバンド部が携帯端末と被固定具１４との間に挟まれて携帯端末、被固定具１４及びカバー本体部２８が一体となって固定される。
【００１４】
なお、この第２実施形態においては、被取付部材２４の裏面には滑り留め部３２が形成されている。この滑り留め部３２は、例えば薄地のビニールシートやシリコン等からなり、大きさ、素材、形状、数、位置等を問わない。この滑り留め部３２等は、携帯端末の表面にくっついてずれたり等しないようにしたり、持ち運び時の携帯端末の表面のガラス面のクッション等にもなる。
【００１５】
図６は、本発明の第３実施形態を示す。
この第３実施形態においては、被取付部材２４は、携帯端末及び被固定具１４をいずれかの箇所に支持するための支持体として構成されている。即ち、被取付部材２４は、例えば帯状等に形成され、この被取付部材２４の中央部分が挿入部２６として構成され、この挿入部２６が携帯端末と被固定具１４との間に挟まれる。また、この被取付部材２４の両端付近両側には、支持部取付部３８が延び、この支持部取付部３８に例えば吸盤からなる支持部３４が設けられている。そして、固定したい箇所にこの支持部３４を固定することによって、携帯端末及び被固定具１４を支持することができ、例えば、ハンズフリー等として使用できる。また、携帯端末及び被固定具１４を横にして使用してもよい。（図１６参照）
【００１６】
図７及び図８は、本発明の第４実施形態を示す。
この第４実施形態は、自動車等の車両に設けられた固定対象であるサンバイザー３６等に携帯端末及び被固定具１４を支持するようにしたものである。
【００１７】
即ち、被取付部材２４は、図７に示すように、輪状に形成された部分を有し、この部分が固定対象、サンバイザー３６の周囲に嵌るようになっている。輪状の部分は柔軟性がある素材からなることが好ましく、例えばゴム等からなる。そして、前述した挿入部２６を携帯端末と被固定具１４との間に挟むことによって、携帯端末１２及び被固定具１４が固定対象、サンバイザー３６等に支持されるようになる。また、固定対象部分の輪状の被取付部材２４の輪の内側に挟んだ被固定具１４に携帯端末を装着し、支持してもよいし、輪状等の被取付部材２４部に保持具３０等を付けたり、被取付部材２４を輪等とし、その一部分を挿入部２６として、被固定具１４と携帯端末の間に挟み支持してもよい。
【００１８】
図９は、本発明の第５実施形態を示す。
この第５実施形態においては、携帯端末及び被固定具１４を支持させたい支持部取付部３８から被取付部材２４等が下方に延びている。支持部取付部３８を輪にして巻いて留めたり、器具等を付けたりし、例えば、固定対象、車のバックミラーや車以外、取手や持ち手等に吊り下げる。そして、前述した被取付部材２４、挿入部２６等を携帯端末と被固定具１４との間に挟むことによって、携帯端末１２及び被固定具１４が支持部取付部３８に支持されるようになる。被取付部材２４、挿入部２６等を挟む位置が変えられるので、支持部取付部３８に対する携帯端末１２及び被固定具１４の支持位置を変えることができる。
【００１９】
図１０は、本発明の第６実施形態を示す。
この第６実施形態においては、被取付部材２４が被固定具１４の下方へ延び、この被取付部材２４の下方先端には、小物入れ４０が取付けられている。この小物入れ４０には、例えば、小銭、イヤホン等の小物が収納できるようになっており、これらを携帯端末と一緒に持ち運ぶことができる。小物入れ４０の代わりに例えばぬいぐるみにしたり、ストラップ、ポケット等にしたりしてもよく、被取付部材２４は、物が保持される被保持体となっている。被取付部材２４は、携帯端末や被固定具１４の上下左右、前面背面等どの位置にも取り付けられる。小物入れ４０の素材は、例えば、ゴム、シリコン、布、ひも、皮革、合成皮革、合成樹脂、金属等のいずれかひとつ、あるいは、それらの組み合わせ等である。
【００２０】
本発明の第１実施形態から第１１実施形態を説明しているが、本発明はこのような実施形態になんら限定されるものではなく、その要旨を逸脱しない範囲内において種々なる態様での実施が可能である。例えば、以下のような変形が可能である。
【００２１】
上記実施形態では、携帯端末用カバーとしたが、携帯端末にはスマートフォンのみならず、タブレット端末、カーナビゲーション、ドライブレコーダー等が含まれる。
図１における挿入部２６は、被固定具１４や、携帯端末等に付けるようにしてもよいし、カバー本体部２８を被取付部材２４等に付けてもよい。他にも、被固定具１４の各操作装置用の穴やカメラホール２２の穴やカバー本体部２８の穴等の箇所に被取付部材２４や挿入部２６や保持具３０等を通し携帯端末を嵌める等で使用してもよい。
また、挿入部２６を左側ではなく、右側にもってきてもよいし、上下いずれか一方、又は双方にもってくるようにし、上下方向に被取付部材２４を開くようにしてもよい。なお、第１乃至第１１実施形態において、カバー本体部２８及び携帯端末１２及び被固定具１４及び取付基台４４等の方向は縦でもよいし、横でもよい。
【００２２】
また、図５に示した第２実施形態、第７実施形態、第８実施形態等において、保持具３０を介して携帯端末を固定するようにしたが、これに限定されず、例えば粘着シート、吸盤、器具等を介して、或はカバー本体部２８に被固定具１４や、携帯端末等を直接固定してもよく、保持具は着脱自在としてももよい。なお、保持具とは、バンド部、粘着接着シート、吸盤、接着、器具等のいずれかひとつ、あるいは、それらの組み合わせ等である。また、保持具は、被取付部材、挿入部２６等に含まれる。保持具、被取付部材等の携帯端末と被固定具等の間に挟まれる部分を挿入部としてよい。
【００２３】
また、第２実施形態においては、カメラホール２２を携帯端末のカメラに対応して被固定具１４に形成したが、例えば、撮影時に図５のカバー本体部２８や被固定具１４を折り曲げたり、切り離す等にしてもよい。
【００２４】
また、上記実施例において、携帯端末１２、被固定具１４、被取付部材２４、挿入部２６、カバー本体部２８、保持具３０、滑り留め部３２、支持部３４、支持部取付部３８、小物入れ４０、取付基台４４等に、様々な模様や装飾や機能等を付けてもよく、立体や変形や装飾等にしてもよい。例えば、お財布、イヤホン、カード等を入れるポケット等や、カバー本体部２８等で携帯端末等を複数台装着できるよう大きくしたり、並べたり、折りたたむ等である。また、被取付部材２４や第２のカバー本体部２８ｂ等に窓部等を形成し、例えば、ビニール等を窓部にしたり、被取付部材２４等をビニール等で形成したり等で、被取付部材２４等を閉じている場合であっても、携帯端末１２の所定のアイコンを操作可能であるようにしてもよい。また、例えば、被取付部材２４、挿入部２６、保持具３０等は、携帯端末１２と被固定具１４との間に挟まる時に薄くなったり、図５の保持具３０のバンド部や図７の被取付部材２４等のように、例えば、輪状に形成する場合は、柔軟性がある素材が好ましいが、柔軟性や伸縮性がなくてもよく、また、長さ等を調節出来る等や、調整用の器具等をつけたりしてもよい。
【００２５】
上記実施例において、滑り留め部３２とは、例えば、滑らないものや、ぴたっと密着又は接着し、くっつけたり、貼り付くもの等である。滑り留め部３２は、素材自身に上記の効果があってもよいし、素材自身に上記の効果がなくても、機能や効果等を加えたものが含まれる。また、取付け、取外しができるようにしてもよい。なお、この滑り留め部３２は、被取付部材２４や挿入部２６等自体に滑り留めの機能等を持たせたり、滑り留め部３２を設けたりすることができる。即ち、例えば、被取付部材２４、挿入部２６、カバー本体部２８、保持具３０、小物入れ４０、取付基台４４等の一部または全体に、滑り止め部３２等の機能や効果等を付けたり、機能等を持つ素材等で形成してもよく、被固定具１４や携帯端末にぴたっと貼り付く上に、間に挟まれると、動いたり、ずれたり、取れない等となる。被固定具１４の側面１８のみ、側面１８のない箇所にも被取付部材２４等が取り付けられる。
【００２６】
また、図６に示した第３実施形態、第８乃至第１１実施形態において、支持部３４は吸盤でなくてもよく、例えば、粘着シート、磁石、ボタン、ファスナー、面ファスナー、接着、粘着、ベルト、金具、器具等や粘着、接着等のいずれかひとつ、あるいは、それらの組み合わせ等である。被取付部材２４を輪にしてもよい。輪にする場合は長さ、素材、形状等を変えたり、固定対象、腕や手首等に巻くようにしてもよい。他にも、図６の被取付部材２４の両端部分等をそれぞれ被固定具１４の上下左右等に付け、被固定具１４の裏面や上部等で輪にし、手を入れ落下防止や持ち運び用の持ち手等の支持体としてもよい。
【００２７】
被取付部材２４や、保持具３０等は、携帯端末１２の電源ボタン等各操作装置にかからない位置に設置することが好ましいが、それらの機能を害するおそれがない場合はそれらにかかる位置に設置してもよい。また、被取付部材２４等に穴を開ける等で携帯端末１２の各操作装置を露出させてもよい。
【００２８】
また、携帯端末１２、被固定具１４、被取付部材２４、挿入部２６、カバー本体部２８、保持具３０、滑り留め部３２、支持部３４、支持部取付部３８、小物入れ４０、取付基台４４等は、長さ、大きさ、素材、形状、数、位置、向き等を変えてもよく、これに限らない。形状等には、例えば、動物、食べ物、乗り物、ぬいぐるみ等が含まれる。また、長さ等を調整できるようにしてもよい。また、形状等の違うものを複数組み合わせ等で設置してもよく、例えば、図７の輪状の被取付部材２４と挿入部２６、図９の支持部取付部３８と支持部３４の付いた被取付部材２４と挿入部２６をひとつの同じ被固定具１４に上部と中心部等に設置して挟み携帯端末を使用してもよいし、ひとつの被取付部材２４等に複数の被固定具と携帯端末を装着等させてもよい。図７の被取付部材２４と挿入部２６は同じ向きだが、被取付部材２４に対して挿入部２６の向きを垂直等に変え設けてもよいし、図１７の挿入部２６は保持具３０と平行の向きだが、保持具３０に対して挿入部２６の向きを垂直等に変えて設けてもよい。他にも、被取付部材２４、挿入部２６、カバー本体部２８、保持具３０、支持部取付部３８、小物入れ４０、取付基台４４等の形状は、帯や輪状や平面、立体等でもよい。例えば、カバー本体部２８等は、大きくしたり、布、衣類等でもよい。また、被取付部材には、被取付部材２４や挿入部２６や保持具３０や支持部取付部３８等が含まれる。被取付部材は、カバー本体部２８や取付基台４４等に付ける、または、直接被固定具１４に付けたり挟んだりする等で携帯端末を支持できる。
【００２９】
図７、図８に示した第４実施形態、図９に示した第５実施形態にあっては、固定対象等に携帯端末を取り付けるようにしたが、これに限定されず、例えば、被取付部材２４や支持部取付部３８や図１１の第２のカバー本体部２８ｂ等をひも等にし細く長く等にして、首等から下げるようにしてもよい。また、図７の被取付部材２４、挿入部２６を小さくし、被固定具１４の上下左右等に付け携帯端末を装着し、輪に手を入れ落下防止用の持ち手等としてもよい。他にも、ドライブレコーダー、カーナビゲーション等としても使用できる。また、形状の違うカバー本体部２８を付けてもよく、例えば、折り曲げたプラスチック板や、硬いもの等をカバー本体部２８とし、被固定具１４や被取付部材２４等に設置したり、固定対象や窓等に固定させてもよい。他にも、カバー本体部２８を図７の被取付部材２４等に付け、その一部を被固定具１４の背面側等に固定させてもよい。また、固定対象、サンバイザー等を上げたり下ろしたりして携帯端末の位置等を変えられる。他にも、被取付部材２４等を固定対象、サンバイザー等の左右上下の位置に取り付けることにより、携帯端末の角度や位置等を変えることができる。
【００３０】
また、第１乃至第１１実施形態において、第２実施形態や第７、第８実施形態で示したカバー本体部２８、第１１実施形態で示した取付基台４４等を設置して使用してもよい。
他にも、例えば、被取付部材２４や挿入部２６を帯状等の閉じ部とし、片端等を被固定具１４に挟み、カバー本体部２８や挿入部２６や他端等に留め具等を付け、手帳型の携帯端末用カバー１０を閉じてもよい。帯状の閉じ部は、長短、大きさ等は問わず、被取付部材２４や挿入部２６やカバー本体部２８等に付けてもよいし、着脱自在にしてもよい。閉じ部を長くし、携帯端末の周囲を回し巻いて留め具等で閉じてもよい。また、閉じる箇所にバネや器具等の閉じ具等を付けてもよい。
【００３１】
また、第６実施形態において、被取付部材２４、小物入れ４０の形状、位置、大きさ等を変えてもよく、例えば、小物入れ４０の代わりに、ぬいぐるみ、アクセサリー、ストラップ、小銭入れ等お財布、ふたと留め具付き等ポケット、メモ、カメラレンズのふた、汚れ拭き、落下防止器具等、様々な小物や器具や機能等を携帯端末や被固定具１４等の好みの様々な場所に簡単に取り付けることができる。
【００３２】
図１１は、本発明の第７実施形態を示す。
この第７実施形態においては、カバー本体部２８を第１のカバー本体部２８ａと第２のカバー本体部２８ｂとの２つの部分に分けている。第１のカバー本体部２８ａは、カメラホール２２を除くように、被固定具１４の背面１６の外側に設けられている。第２のカバー本体部２８ｂは、第１のカバー本体部２８ａの上部にあって、第１のカバー本体部２８ａに対して着脱自在であるように連結されている。この第２のカバー本体部２８ｂを第１のカバー本体部２８ａから取り外せばカメラホール２２が露出する。また、第２のカバー本体部２８ｂは、被固定具１４の上端部分等で折り曲げられるようになっており、折り曲げることにより携帯端末のガラス部分をカバーするようになっている。
【００３３】
第１のカバー本体部２８ａと第２のカバー本体部２８ｂとは、例えば磁石、ボタン、面ファスナーを含むファスナー、ベルト、金具、器具等を介して、あるいは接着、粘着等の手段により接続してもよいし、さらにはこれらの手段を組み合わせてもよい。
【００３４】
また、この第７実施形態においては、第１のカバー本体部２８ａと第２のカバー本体部２８ｂとは上下方向で着脱自在に接続するようにしたが、左右方向で接続するようにしてもよい。さらには第２のカバー本体部２８ｂをＬ字状とし、Ｌ字の一部でカメラホール２２を覆い、他の部分が左右方向に延びる等にしてもよい。
また、上記第７実施形態においては、第２のカバー本体部２８ｂは一枚であるが、上下、左右に２枚或はそれ以上の枚数等を第１のカバー本体２８ａに着脱自在に取り付けるようにしてもよい。また、例えば、カバー本体部２８ｂの形状を長く輪状等にし、被固定具１４の上下左右等で１又は、複数箇所で第１のカバー本体部２８aに着脱自在に連結してもよい。また、分かれる箇所はこれに限らず、第１のカバー本体部２８ａ、カメラホール２２の上部で分けてもよい。また、第１のカバー本体部２８ａと第２のカバー本体部２８ｂで素材等を違うものにしたり、第２のカバー本体部２８ｂを形状等の違う、長短、太細、ひも等に付け替えてもよい。これにより、手帳型カバー以外にも使用でき、携帯端末用カバー１０の外見・性質・機能等を自由に変化させることができる。
【００３５】
図１２から図１４は、本発明の第８実施形態を示す。
この第８実施形態においては、カバー本体部２８が上下に延びて折り曲げられ、この折り曲げられた先端に支持部取付部３８が設けられている。この支持部取付部３８には、例えば吸盤等からなる支持部３４が取り付けられている。この支持部３４は、携帯端末用カバー１０を取り付ける場所に応じて向きが変えられるようになっている。例えば図１３に示すように、自動車のフロントガラス４２に支持部３４を取り付け、携帯端末１２を支持することができる。このように、湾曲した箇所や斜面等の角度のある個所にも携帯端末１２を支持することができる。フロントガラス４２のみならず、自動車のダッシュボードや机上等でカバー本体部２８の背面を折り、卓上スマートフォンスタンド等としても利用することができる。また、カバー本体部２８の背面や折り曲げ箇所等を折らずに支持部３４等で吊り下げたり、二つ折り等でも使用することもできる。
【００３６】
なお、前述した第３実施形態と同様に、支持部３４は吸盤でなくてもよく、例えば、粘着シート、磁石、ボタン、ファスナー、面ファスナー、接着、粘着、ベルト、金具、器具等や粘着、接着等のいずれかひとつ、あるいは、それらの組み合わせ等である。支持部取付部３８等を輪にしてもよい。輪にする場合は長さ、素材、形状等を変え、固定対象、体や車両内等に巻くようにしてもよい。また、他の実施形態でも、このようなカバー本体部２８と支持部取付部３８等を付けてもよい。他にも、図５のカバー本体部２８の上下左右等に着脱自在で支持部取付部３８や面や支持部３４等をつけてもよい。
【００３７】
また、図１４に示すように、保持具３０は、左右方向に設けるばかりではなく、上下方向等に設けるようにしてもよい。これにより携帯端末用カバー１０や携帯端末や被固定具１４を縦方向又は横方向に支持することができる。
【００３８】
なお、第２実施形態と同様に、保持具３０は、例えば、ゴム、シリコン、布、ひも、テープ、皮革、合成皮革、合成樹脂、金属等のいずれかひとつ、あるいは、それらの組み合わせ等からなる。第８実施形態においては、保持具３０は帯状に形成され、カバー本体部２８に形成された孔に通してあり、図１２のように携帯端末を装着する。ただし、例えば、縫合、接着、粘着、溶接、接合、係合、結合、留め具等のいずれかひとつ、あるいは、それらの組み合わせ等によりバンド部をカバー本体部２８等に固定してもよい。
また、縦又は横方向に延びる２つの保持具３０をＨ形等として両者をカバー本体部２８内等で接続するようにしてもよい。
【００３９】
図１５は、本発明の第９実施形態を示す。
この第９実施形態においては、第４実施形態に対して被固定具１４の背面に支持部取付部３８を設けたものである。支持部取付部３８は、例えばプラスチックやアクリル板、台紙等から構成され、カバー本体部２８と同じ素材であってもよいし、異なっていてもよい。また、この支持部取付部３８の一端は、サンバイザー３６の周囲に覆うように装着された被取付部材２４に連結されている。この支持部取付部３８の一端は、被取付部材２４に対して位置が変えられるように、例えば、留め具や調節可能具等から構成されている。また、ボタン等で段階的に位置を変えられるようにしてもよいし、面ファスナー、吸盤等で構成してもよい。また、支持部取付部３８の他端には支持部３４が設けられ、この支持部３４が被固定具１４の背面に取り付けられている。この支持部３４は例えば、吸盤等から構成され、被固定具１４に対する位置を調整することにより携帯端末１２の角度等を調節できるようにしてある。
【００４０】
なお、前述した第４実施形態と同様に、被取付部材２４は、輪ではなく帯状に巻いて留めたりしてもよいし、留め具、調節可能具等により長さ等を調整可能になるようにしてもよい。支持部取付部３８は、被取付部材２４等に固定でもよい。また、挿入部２６は、被取付部材２４上で固定してもよいし、又は帯で重ねた被取付部材２４に挟んで固定するようにしてもよい。挿入部２６の被取付部材２４に対する位置を変更したり、挿入部２６の被固定具１４に対する挿入長さを変更したりすることにより携帯端末の位置や角度等を調節することができる。
【００４１】
図１６は、本発明の第１０実施形態を示す。
この第１０実施形態は、第３実施形態の携帯端末を横にし挿入部を変形したものである。前述した被取付部材２４、挿入部２６から伸びた上方の２つの支持部取付部３８及び下方の支持部取付部３８が設けられている。これら支持部取付部３８には、例えば吸盤等からなる支持部３４が取り付けられている。被固定具１４は横向きとなっており、携帯端末及び被固定具１４を安定させるために上方には２つの支持部取付部３８が設けられている。支持部取付部３８は、上下一つであってもよいし、上下それぞれに複数等あってもよい。この第１０実施形態においても第８実施形態と同様に、携帯端末を固定対象、フロントガラスや窓や壁等に取り付けることができる。下方の支持部取付部３８を前述図１３のように取り付ける等ができる。また、挿入部２６に挟む位置で携帯端末、被固定具１４の位置や高さ等を変えたり等できる。被取付部材に支持部取付部３８は、含まれる。
【００４２】
図１７及び図１８は、本発明の第１１実施形態を示す。
この第１１実施形態においては、取付基台４４に挿入部２６が設けられている。この挿入部２６は、図１８に示すように、カバー本体部２８と被固定具１４との間に挿入される。この挿入部２６は、保持具３０に引っ掛かって固定されるようになっており、例えばゴム、シリコン、布、ひも、テープ、皮革、合成皮革、合成樹脂、ガラス、金属等のいずれか一つ又はそれらの組み合わせ等から構成されている。また、挿入部２６は、複数等でもよいし、形状、向き、大きさ等は、これに限らず、例えば、左向き、右向きと複数個等つけたり、Ｕ字状等や、折曲がり箇所等を可動、バネや器具等で開閉等させたり、カバー本体部２８を取付基台４４等にしっかり挟む形状等にしてもよい。図１８の携帯端末１２、被固定具１４、固定具３０、カバー本体部２８は、図５と同じである。この支持部３４を付ける場所等で、携帯端末の位置や角度等を変えられ調節できるようになっている。取付基台４４は、１面、複数面等でもよく、例えば、４面等で支持部取付部３８を重ねたり広げたり等で調節してもよい。他にも、挿入部２６は、保持具３０等でもよく、図１２等の保持具３０を挿入部２６にしてもよい。また、普段は図５や図１１のように手帳型カバーとして使用し、第１のカバー本体部２８aを取付基台４４につけて使用する等、様々な機能や目的等に応用できる。
【００４３】
挿入部２６等は、カバー本体部２８や取付基台４４に穴等を設け、通したり挟んだり等もでき、カバー本体部２８や取付基台４４から着脱自在にしてもよい。挿入部２６は、取付基台４４上でなく、例えば、固定対象、壁等に設置し、カバー本体部２８、被固定具１４、被取付部材、保持具等を挿入部２６に付けて携帯端末を支持してもよい。他にも、挿入部２６等を例えば、携帯端末の背面等に強力な接着粘着等で１又は複数個等設けて、カバー本体部２８等に挟んだり、カバー本体部２８等に設けた孔等に通したり等で携帯端末を直接装着してもよい。同じカバー本体部２８等で、被固定具１４ありなし両方使用できる。また、自撮り棒等の先に、携帯端末のカメラ２０の箇所を除く形状のカバー本体部２８や取付基台４４等を取り付け、そこに被取付部材２４や挿入部２６や保持具３０等を設け、被固定具１４に携帯端末を装着させ撮影してもよい。挿入部２６や保持具３０や取付基台４４等の形状や大きさや向き等は問わない。例えば、取付基台４４等の形状を平面でなく丸く細く小さく等にし、その上下左右等に図１１の保持具３０等を付けてもよいし、挿入部２６を図１７の挿入部２６にし、携帯端末を装着した第１のカバー本体部２８ａ等を付けてもよい。また、例えば自撮り棒等の先部分等を取付基台４４等とし、被取付部材２４、挿入部２６、保持具３０等を設けてもよいし、先部分等にカバー本体部２８や取付基台４４を設けてもよく、支持部取付部３８等を介したり、携帯端末等を支持したり、着脱自在にしてもよい。これらにより、固定対象である自撮り棒等に携帯端末や被固定具１４等が支持される。自撮り棒等は、長さや角度等が調整できてもよい。
【００４４】
取付基台４４には支持部取付部３８が接続固定されている。この支持部取付部３８には、吸盤等からなる支持部３４が取り付けられている。この支持部３４を例えば、固定対象、車両の窓や建物の壁等に取り付けて携帯端末をハンズフリーとすることができる。
【００４５】
なお、ハンズフリーの例としては、固定対象、腕、足、胸等の人体や車両や住宅の室内、施設建物や衣類、小物、機材、機械、装置等あらゆる箇所に取り付けることができる。例えば、図５に示したカバー本体部２８を長くして帯状としたり、図６に示した被取付部材２４を長くして帯状にしたり、図１１の第１のカバー本体部２８ｂを長くして帯状にしたり等により帯状として体や固定対象等に巻いたり、下げたりする等にしてもよい。他にも、輪状にしたり、カバー本体部２８等に帯、輪状を付けたり、輪状、平面等に保持具３０等を付けたりできる。固定対象とは、携帯端末が支持される箇所等で、図８のサンバイザー等以外でもよく、例えば、第４実施形態、第５実施形態、第７実施形態等を車両のシートやヘッドレスト等、第１１実施形態を車両等の窓等で、後部座席で携帯端末を使用したり、ゴーグルや器具装置等に被取付部材、挿入部２６、保持具３０等を付け携帯端末を装着し、ＶＲゴーグル、ＶＲ器具装置等として使用できる。また、被取付部材２４、挿入部２６等は、図１４のカバー本体部２８の穴等に一緒に通したり、第１１実施形態のようにカバー本体部２８と被固定具１４との間に通したり等、様々な構成とすることができる。
【符号の説明】
【００４６】
１０    携帯端末用カバー
１２    携帯端末
１４    被固定具
１６    背面
１８    側面
２０    カメラ
２２    カメラホール
２４    被取付部材
２６    挿入部
２８    カバー本体部
２８ａ  第１のカバー本体部
２８ｂ  第２のカバー本体部
３０    保持具
３４    支持部
３６    サンバイザー
３８    支持部取付部
４０    小物入れ
４２    フロントガラス
４４    取付基台
【図１】
2019041387.tif 000003
【図２】
2019041387.tif 000004
【図３】
2019041387.tif 000005
【図４】
2019041387.tif 000006
【図５】
2019041387.tif 000007
【図６】
2019041387.tif 000008
【図７】
2019041387.tif 000009
【図８】
2019041387.tif 000010
【図９】
2019041387.tif 000011
【図１０】
2019041387.tif 000012
【図１１】
2019041387.tif 000013
【図１２】
2019041387.tif 000014
【図１３】
2019041387.tif 000015
【図１４】
2019041387.tif 000016
【図１５】
2019041387.tif 000017
【図１６】
2019041387.tif 000018
【図１７】
2019041387.tif 000019
【図１８】
2019041387.tif 000020